(57)【要約】【課題】  運送器具の回収率を高める。【解決手段】  被運送物を運送するための運送器具に備わるデバイスと、前記運送器具の管理するための運送器具管理サーバと、前記運送器具の管理するための情報を格納する運送器具管理データベースと、前記運送を管理するための運送管理サーバと、前記運送を管理するための情報を格納する運送管理データベースと、ピッキング作業者が利用する端末であって、前記運送管理データベースにアクセスし、前記デバイスに情報を書き込むものと、運送者が利用する端末であって、前記デバイスに対し情報を読み書きし、前記運送器具管理データベース及び前記運送管理データベースにアクセスするものと、運送元の構内各所に設けられている複数の読取装置であって、前記デバイスに書き込まれている情報を読み取るものと、を備える。【選択図】  図１
2005187094.tif 000002
【特許請求の範囲】
【請求項１】
ピッキング作業者の端末が、運送管理データベースに書き込まれている各運送を特定するための運送指示ＩＤ及び各運送における運送者を特定するための運送者ＩＤを、前記被運送物を運送するための運送器具に備わるデバイスに書き込むデバイス書込みステップと、
前記運送元の構内に設けられている読取装置が、前記デバイスに予め書き込まれているＩＤであって各運送器具を特定するためのもの（運送器具ＩＤ）並びに前記デバイス書込みステップで前記デバイスに書き込まれた前記運送指示ＩＤ及び前記運送者ＩＤを読み取る第１読取りステップと、
運送器具管理サーバが、前記第１読取りステップで前記読取装置が読み取った内容及び前記第１読取りステップを行った読取装置を特定するための読取装置ＩＤを基に、前記運送器具ＩＤと前記読取装置ＩＤを関連付けて運送器具管理データベースに書き込む第１運送器具管理データベース書込みステップと、
運送管理サーバが、前記第１読取りステップで前記読取装置が読み取った内容を基に、前記運送器具ＩＤを前記運送指示ＩＤに関連付けて運送管理データベースに書き込む運送管理データベース書込みステップと、
運送者の端末が、当該運送者を特定するための運送者ＩＤに対応する運送器具ＩＤを前記運送管理データベースから検索する運送管理データベース検索ステップと、
前記運送者の端末が、運送器具ＩＤ及び運送者ＩＤを運送器具のデバイスから読み取る第２読取りステップと、
前記運送者の端末が、当該運送者を特定するための前記運送者ＩＤ及び前記運送管理データベース検索ステップで検索した運送器具ＩＤを、前記第２読取りステップで読取った前記運送者ＩＤ及び前記運送器具ＩＤと比較する運送者ＩＤ・運送器具ＩＤ比較ステップと、
を備えることを特徴とする運送器具管理方法。
【請求項２】
請求項１に記載の運送器具管理方法において、
前記運送者の端末が、前記運送者ＩＤ・運送器具ＩＤ比較ステップで一致が確認された場合に、前記運送器具に備わるデバイスのアクティブ機能を停止するアクティブステップ停止ステップを更に備えることを特徴とする運送器具管理方法。
【請求項３】
請求項１に記載の運送器具管理方法において、
前記運送者の端末が、前記運送者ＩＤ・運送器具ＩＤ比較ステップで一致が確認された場合に、比較成功の旨並びに該比較に係る前記運送者ＩＤ及び前記運送器具ＩＤを前記運送器具管理サーバに通知する比較成功通知ステップと、
前記運送器具管理サーバが、前記比較成功通知ステップを受けた場合に、前記運送器具管理データベースの前記運送者ＩＤ及び前記運送器具ＩＤに係るレコードに搬出の旨を書き込む第２運送器具管理データベース書込みステップと、
を更に備えることを特徴とする運送器具管理方法。
【請求項４】
請求項１に記載の運送器具管理方法において、
前記デバイス書込みステップでは、各運送における運送先の位置を示す運送先位置情報も前記運送器具の前記デバイスに書き込み、
当該方法は、
前記運送者の端末が、前記運送先位置情報を前記運送器具の前記デバイスから読み取る第３読取りステップと、
前記運送者の端末が、現在位置を示す現在位置情報を獲得する第１現在位置情報獲得ステップと、
前記運送者の端末が、前記第３読取りステップで読み取った前記運送先位置情報を、前記現在位置情報獲得ステップで獲得した前記現在位置情報と比較する位置情報比較ステップと、
を更に備えることを特徴とする運送器具管理方法。
【請求項５】
請求項４に記載の運送器具管理方法において、
前記運送者の端末が、前記位置情報比較ステップで一致が確認された場合に、運送完了の旨及び運送完了時刻を前記運送装置の前記デバイスに書き込む第１運送完了情報書込みステップを更に備えることを特徴とする運送器具管理方法。
【請求項６】
請求項４に記載の運送器具管理方法において、
前記第３読取りステップでは、前記運送者の端末が、前記運送器具ＩＤも前記運送器具の前記デバイスから読み取り、
当該方法は、
前記運送者の端末が、前記位置情報比較ステップで一致が確認された場合に、運送完了の旨、前記運送器具ＩＤ、前記現在位置情報及び運送完了時刻を前記運送器具管理サーバに送信する第１運送完了情報送信ステップと、
前記運送器具管理サーバが、前記第１運送完了情報送信ステップの結果受信した前記現在位置情報、前記運送完了時刻を前記運送器具ＩＤと関連付けて前記運送器具管理データベースに書き込む第２運送完了情報書みステップと、
を更に備えることを特徴とする運送器具管理方法。
【請求項７】
請求項４に記載の運送器具管理方法において、
前記第３読取りステップでは、前記運送者の端末が、前記運送器具ＩＤも前記運送器具の前記デバイスから読み取り、
当該方法は、
前記運送者の端末が、前記位置情報比較ステップで一致が確認された場合に、運送完了の旨及び前記運送器具ＩＤを前記運送管理サーバに送信する第２運送完了情報送信ステップと、
前記運送管理サーバが、前記第２運送完了情報送信ステップの結果受信した前記運送完了の旨を前記運送器具ＩＤと関連付けて前記運送管理データベースに書き込む第３運送完了情報書みステップと、
を更に備えることを特徴とする運送器具管理方法。
【請求項８】
請求項１に記載の運送器具管理方法において、
前記運送者の端末が、現在位置を示す現在位置情報を獲得する第２現在位置情報獲得ステップと、
前記運送者の端末が、前記運送者ＩＤ及び前記現在位置情報に対応する運送器具ＩＤのリストを前記運送器具管理データベースから検索する運送器具ＩＤリスト検索ステップと、
前記運送者の端末が、前記運送器具の前記デバイスから前記運送器具ＩＤを読み取る第４読取りステップと、
を更に備えることを特徴とする運送器具管理方法。
【請求項９】
被運送物を運送するための運送器具に備わるデバイスと、
前記運送器具の管理するための運送器具管理サーバと、
前記運送器具の管理するための情報を格納する運送器具管理データベースと、
前記運送を管理するための運送管理サーバと、
前記運送を管理するための情報を格納する運送管理データベースと、
ピッキング作業者が利用する端末であって、前記運送管理データベースにアクセスし、前記デバイスに情報を書き込むものと、
運送者が利用する端末であって、前記デバイスに対し情報を読み書きし、前記運送器具管理データベース及び前記運送管理データベースにアクセスするものと、
運送元の構内各所に設けられている複数の読取装置であって、前記デバイスに書き込まれている情報を読み取るものと、
を備えることを特徴とする運送器具管理システム。
【請求項１０】
請求項９に記載の運送器具管理システムにおいて、
前記デバイスはＲＦＩＤデバイスであることを特徴とする運送器具管理システム。
【請求項１１】
請求項１０に記載の運送器具管理システムにおいて、
前記ＲＦＩＤデバイスはアクティブ機能及びパッシブ機能を備えることを特徴とする運送器具管理システム。
【請求項１２】
請求項９に記載の運送器具管理システムにおいて、
前記運送器具管理データベースは、前記各運送器具を特定するための運送器具ＩＤ及び前記各読取装置を特定するための読取装置ＩＤを相互に関連付けて格納することを特徴とする運送器具管理システム。
【請求項１３】
請求項９に記載の運送器具管理システムにおいて、
前記運送器具管理データベースは、前記各運送器具を特定するための運送器具ＩＤ及び各運送者を特定するための運送者ＩＤを相互に関連付けて格納することを特徴とする運送器具管理システム。
【請求項１４】
請求項９に記載の運送器具管理システムにおいて、
前記運送管理データベースは、各運送を特定するための運送指示ＩＤ、各運送者を特定するための運送者ＩＤ及び運送先の位置を示す運送先位置情報を相互に関連付けて格納することを特徴とする運送器具管理システム。
【請求項１５】
請求項９に記載の運送器具管理システムにおいて、
前記運送管理データベースは、各運送を特定するための運送指示ＩＤ及び各運送器具を特定するための運送器具ＩＤを相互に関連付けて格納することを特徴とする運送器具管理システム。
【請求項１６】
請求項９に記載の運送器具管理システムにおいて、
前記ピッキング作業者が利用する端末は、各ピッキング作業者を特定するためのピッキング作業者ＩＤ、各運送を特定するための運送指示ＩＤ、各運送者を特定するための運送者ＩＤ及び運送先の位置を示す運送先位置情報を相互に関連付けて格納する運送管理データベースから、前記ピッキング作業者ＩＤに対応する前記運送指示ＩＤ、前記運送者ＩＤ及び前記運送先位置情報を検索する検索手段と、
前記検索手段で検索した前記運送指示ＩＤ、前記運送者ＩＤ及び前記運送先位置情報を前記運送器具に備わる前記デバイスに書き込む書込み手段と、
を備えることを特徴とする運送器具管理システム。
【請求項１７】
請求項９に記載の運送器具管理システムにおいて、
前記読取装置は、各運送器具を特定するための運送器具ＩＤを前記運送器具に備わる前記デバイスから読み取る読取り手段と、
前記読取り手段により読取った前記運送器具ＩＤ及び当該読取装置を特定するための読取装置ＩＤとを前記運送器具管理サーバに送信する送信手段と、
を備え、
前記運送器具管理サーバは、前記送信手段により送信されてきた前記読取装置ＩＤを前記送信手段により送信されてきた前記運送器具ＩＤと関連付けて前記運送器具管理データベースに格納する格納手段を備えることを特徴とする運送器具管理システム。
【請求項１８】
請求項９に記載の運送器具管理システムにおいて、
前記ピッキング作業者の端末は、
前記運送管理サーバから各運送を特定するための運送指示ＩＤを獲得する獲得手段と、
前記獲得手段により獲得した前記運送指示ＩＤを前記運送器具の前記デバイスに書き込む書込み手段と、
を備え、
前記読取装置は、
各運送器具を特定するための運送器具ＩＤ及び前記運送指示ＩＤを前記運送器具の前記デバイスから読み取る読取り手段と、
前記読取り手段により読取った前記運送器具ＩＤ及び運送指示ＩＤを前記運送管理サーバに送信する送信手段と、
を備え、
前記運送管理サーバは、前記送信手段により送信されてきた前記運送器具ＩＤを前記送信手段により送信されてきた前記運送指示ＩＤと関連付けて前記運送管理データベースに格納する格納手段を備えることを特徴とする運送器具管理システム。
【請求項１９】
請求項９に記載の運送器具管理システムにおいて、
前記運送者の端末は、当該運送者を特定するための運送者ＩＤに対応する運送器具を特定するための運送器具ＩＤを前記運送管理データベースから前記運送管理サーバを介して検索する検索する検索手段を備えることを特徴とする運送器具管理システム。
【発明の詳細な説明】
【技術分野】
【０００１】
本発明は、物流センターにおける運送器具の所在管理及び、物流センターより搬出された運送器具の運送先、所在をＲＦＩＤ（Radio Frequency Identification；無線自動識別又は電波方式認識）を活用することにより明確に把握し、運送器具の客先滞留、紛失を防止することに特徴を有するＲＦＩＤによる運送器具管理方法及び運送器具管理システムに関する。
【背景技術】
【０００２】
従来、物流センター等で所有するパレット等の運送器具は実際の納品物を積載し運送者により指定の納品先にトラック等の運送手段により運送される。
【０００３】
なお、本発明に関連する先行技術文献としては以下のものがある。
【特許文献１】特開２００１−２３３４１０号公報
【特許文献２】特開２００１−３２２７１８号公報
【特許文献３】特開２００３−２２６４３４号公報
【発明の開示】
【発明が解決しようとする課題】
【０００４】
本来であれば納品先にて物流センター所有のパレット等の運送器具は納品先倉庫で検品と共に運送品の納品を実施し、物流センター所有のパレットは物流センターに回収されるべきものであるが、納品先に未回収のまま滞留もしくは納品先より別の物流拠点への出荷に使用され、紛失してしまう問題がある。
【０００５】
また、パレットによる運送では納品先を間違えてしまう誤運送の問題もある。
【０００６】
現状ではバーコード等の光学系の自動認識を用いた運送品管理システム等も存在するが、読み取り精度が低いことや、運送者への作業負担を強いるものであり、運送者が入出庫の登録を怠ったり、パレットに貼付されたバーコードが汚れや破損により読めないなどの問題があり、精度の高いパレットの所在管理を実現できていない。また、パッシブ型のＲＦＩＤを使った運送器具管理サーバも見られるが、パッシブ型の読取り距離、読取り精度の制約により、リアルタイムに機材の所在が管理できない問題があった。
【０００７】
そこで、本発明は、物流センターが所有しているパレット等の運送器具の在庫、搬出入状況、運送器具の物流センター内ロケーション等のリアルタイムな把握を実現すると共に、運送器具の運送先における滞留状況、日数等を把握可能とし、運送器具の高い回収率を実現するＲＦＩＤによる運送器具管理システムを提供することを目的とする。
【０００８】
また、本発明は、上記実現の為に運送者に利用価値、利便性を与えることで運送者による運送の入出庫登録を徹底することを目的とする。
【課題を解決するための手段】
【０００９】
本発明の第１の観点によれば、ピッキング作業者の端末が、運送管理データベースに書き込まれている各運送を特定するための運送指示ＩＤ及び各運送における運送者を特定するための運送者ＩＤを、前記被運送物を運送するための運送器具に備わるデバイスに書き込むデバイス書込みステップと、前記運送元の構内に設けられている読取装置が、前記デバイスに予め書き込まれているＩＤであって各運送器具を特定するためのもの（運送器具ＩＤ）並びに前記デバイス書込みステップで前記デバイスに書き込まれた前記運送指示ＩＤ及び前記運送者ＩＤを読み取る第１読取りステップと、運送器具管理サーバが、前記第１読取りステップで前記読取装置が読み取った内容及び前記第１読取りステップを行った読取装置を特定するための読取装置ＩＤを基に、前記運送器具ＩＤと前記読取装置ＩＤを関連付けて運送器具管理データベースに書き込む第１運送器具管理データベース書込みステップと、運送管理サーバが、前記第１読取りステップで前記読取装置が読み取った内容を基に、前記運送器具ＩＤを前記運送指示ＩＤに関連付けて運送管理データベースに書き込む運送管理データベース書込みステップと、運送者の端末が、当該運送者を特定するための運送者ＩＤに対応する運送器具ＩＤを前記運送管理データベースから検索する運送管理データベース検索ステップと、前記運送者の端末が、運送器具ＩＤ及び運送者ＩＤを運送器具のデバイスから読み取る第２読取りステップと、前記運送者の端末が、当該運送者を特定するための前記運送者ＩＤ及び前記運送管理データベース検索ステップで検索した運送器具ＩＤを、前記第２読取りステップで読取った前記運送者ＩＤ及び前記運送器具ＩＤと比較する運送者ＩＤ・運送器具ＩＤ比較ステップと、を備えることを特徴とする運送器具管理方法が提供される。
【００１０】
上記の運送器具管理方法は、前記運送者の端末が、前記運送者ＩＤ・運送器具ＩＤ比較ステップで一致が確認された場合に、前記運送器具に備わるデバイスのアクティブ機能を停止するアクティブステップ停止ステップを更に備えていてもよい。
【００１１】
上記の運送器具管理方法は、前記運送者の端末が、前記運送者ＩＤ・運送器具ＩＤ比較ステップで一致が確認された場合に、比較成功の旨並びに該比較に係る前記運送者ＩＤ及び前記運送器具ＩＤを前記運送器具管理サーバに通知する比較成功通知ステップと、前記運送器具管理サーバが、前記比較成功通知ステップを受けた場合に、前記運送器具管理データベースの前記運送者ＩＤ及び前記運送器具ＩＤに係るレコードに搬出の旨を書き込む第２運送器具管理データベース書込みステップと、を更に備えていてもよい。
【００１２】
上記の運送器具管理方法において、前記デバイス書込みステップでは、各運送における運送先の位置を示す運送先位置情報も前記運送器具の前記デバイスに書き込んでもよく、当該方法は、前記運送者の端末が、前記運送先位置情報を前記運送器具の前記デバイスから読み取る第３読取りステップと、前記運送者の端末が、現在位置を示す現在位置情報を獲得する第１現在位置情報獲得ステップと、前記運送者の端末が、前記第３読取りステップで読み取った前記運送先位置情報を、前記現在位置情報獲得ステップで獲得した前記現在位置情報と比較する位置情報比較ステップと、を更に備えていてもよい。
【００１３】
上記の運送器具管理方法は、前記運送者の端末が、前記位置情報比較ステップで一致が確認された場合に、運送完了の旨及び運送完了時刻を前記運送装置の前記デバイスに書き込む第１運送完了情報書込みステップを更に備えていてもよい。
【００１４】
上記の運送器具管理方法において、前記第３読取りステップでは、前記運送者の端末が、前記運送器具ＩＤも前記運送器具の前記デバイスから読み取ってもよく、当該方法は、前記運送者の端末が、前記位置情報比較ステップで一致が確認された場合に、運送完了の旨、前記運送器具ＩＤ、前記現在位置情報及び運送完了時刻を前記運送器具管理サーバに送信する第１運送完了情報送信ステップと、前記運送器具管理サーバが、前記第１運送完了情報送信ステップの結果受信した前記現在位置情報、前記運送完了時刻を前記運送器具ＩＤと関連付けて前記運送器具管理データベースに書き込む第２運送完了情報書みステップと、を更に備えていてもよい。
【００１５】
上記の運送器具管理方法において、前記第３読取りステップでは、前記運送者の端末が、前記運送器具ＩＤも前記運送器具の前記デバイスから読み取ってもよく、当該方法は、前記運送者の端末が、前記位置情報比較ステップで一致が確認された場合に、運送完了の旨及び前記運送器具ＩＤを前記運送管理サーバに送信する第２運送完了情報送信ステップと、前記運送管理サーバが、前記第２運送完了情報送信ステップの結果受信した前記運送完了の旨を前記運送器具ＩＤと関連付けて前記運送管理データベースに書き込む第３運送完了情報書みステップと、を更に備えていてもよい。
【００１６】
上記の運送器具管理方法は、前記運送者の端末が、現在位置を示す現在位置情報を獲得する第２現在位置情報獲得ステップと、前記運送者の端末が、前記運送者ＩＤ及び前記現在位置情報に対応する運送器具ＩＤのリストを前記運送器具管理データベースから検索する運送器具ＩＤリスト検索ステップと、前記運送者の端末が、前記運送器具の前記デバイスから前記運送器具ＩＤを読み取る第４読取りステップと、を更に備えていてもよい。
【００１７】
本発明の第２の観点によれば、被運送物を運送するための運送器具に備わるデバイスと、前記運送器具の管理するための運送器具管理サーバと、前記運送器具の管理するための情報を格納する運送器具管理データベースと、前記運送を管理するための運送管理サーバと、前記運送を管理するための情報を格納する運送管理データベースと、ピッキング作業者が利用する端末であって、前記運送管理データベースにアクセスし、前記デバイスに情報を書き込むものと、運送者が利用する端末であって、前記デバイスに対し情報を読み書きし、前記運送器具管理データベース及び前記運送管理データベースにアクセスするものと、運送元の構内各所に設けられている複数の読取装置であって、前記デバイスに書き込まれている情報を読み取るものと、を備えることを特徴とする運送器具管理システムが提供される。
【００１８】
上記の運送器具管理システムにおいて、前記デバイスはＲＦＩＤデバイスであってもよい。
【００１９】
上記の運送器具管理システムにおいて、前記ＲＦＩＤデバイスはアクティブ機能及びパッシブ機能を備えていてもよい。
【００２０】
上記の運送器具管理システムにおいて、前記運送器具管理データベースは、前記各運送器具を特定するための運送器具ＩＤ及び前記各読取装置を特定するための読取装置ＩＤを相互に関連付けて格納してもよい。
【００２１】
上記の運送器具管理システムにおいて、前記運送器具管理データベースは、前記各運送器具を特定するための運送器具ＩＤ及び各運送者を特定するための運送者ＩＤを相互に関連付けて格納してもよい。
【００２２】
上記の運送器具管理システムにおいて、前記運送管理データベースは、各運送を特定するための運送指示ＩＤ、各運送者を特定するための運送者ＩＤ及び運送先の位置を示す運送先位置情報を相互に関連付けて格納してもよい。
【００２３】
上記の運送器具管理システムにおいて、前記運送管理データベースは、各運送を特定するための運送指示ＩＤ及び各運送器具を特定するための運送器具ＩＤを相互に関連付けて格納してもよい。
【００２４】
上記の運送器具管理システムにおいて、前記ピッキング作業者が利用する端末は、各ピッキング作業者を特定するためのピッキング作業者ＩＤ、各運送を特定するための運送指示ＩＤ、各運送者を特定するための運送者ＩＤ及び運送先の位置を示す運送先位置情報を相互に関連付けて格納する運送管理データベースから、前記ピッキング作業者ＩＤに対応する前記運送指示ＩＤ、前記運送者ＩＤ及び前記運送先位置情報を検索する検索手段と、前記検索手段で検索した前記運送指示ＩＤ、前記運送者ＩＤ及び前記運送先位置情報を前記運送器具に備わる前記デバイスに書き込む書込み手段と、を備えていてもよい。
【００２５】
上記の運送器具管理システムにおいて、前記読取装置は、各運送器具を特定するための運送器具ＩＤを前記運送器具に備わる前記デバイスから読み取る読取り手段と、前記読取り手段により読取った前記運送器具ＩＤ及び当該読取装置を特定するための読取装置ＩＤとを前記運送器具管理サーバに送信する送信手段と、を備え、前記運送器具管理サーバは、前記送信手段により送信されてきた前記読取装置ＩＤを前記送信手段により送信されてきた前記運送器具ＩＤと関連付けて前記運送器具管理データベースに格納する手段を備えていても良い。
【００２６】
上記の運送器具管理システムにおいて、前記ピッキング作業者の端末は、前記運送管理サーバから各運送を特定するための運送指示ＩＤを獲得する獲得手段と、前記獲得手段により獲得した前記運送指示ＩＤを前記運送器具の前記デバイスに書き込む書込み手段と、を備え、前記読取装置は、各運送器具を特定するための運送器具ＩＤ及び前記運送指示ＩＤを前記運送器具の前記デバイスから読み取る読取り手段と、前記読取り手段により読取った前記運送器具ＩＤ及び運送指示ＩＤを前記運送管理サーバに送信する送信手段と、を備え、前記運送管理サーバは、前記送信手段により送信されてきた前記運送器具ＩＤを前記送信手段により送信されてきた前記運送指示ＩＤと関連付けて前記運送管理データベースに格納する格納手段を備えていても良い。
【００２７】
上記の運送器具管理システムにおいて、前記運送者の端末は、当該運送者を特定するための運送者ＩＤに対応する運送器具を特定するための運送器具ＩＤを前記運送管理データベースから前記運送管理サーバを介して検索する検索する検索手段を備えていてもよい。
【発明の効果】
【００２８】
本発明によれば、ピッキングにより生じた運送器具の運送指示ＩＤ及び運送者ＩＤとの対応関係を、運送器具ＩＤを運送管理データベースに書き込むことにより、運送管理データベースに保持させ、運送者の端末が当該運送者の運送者ＩＤに対応する運送器具ＩＤを運送管理データベースから検索し、これらを運送器具のデバイスから読取った運送者ＩＤ及び運送器具ＩＤと比較するので、運送者は正しい運送器具を確認することができる。
【００２９】
また、本発明によれば、運送器具ＩＤと読取装置ＩＤを関連付けて運送器具管理データベースに書き込むので、運送器具ＩＤが関連付けられた運送器具が読取装置が関連付けれた読取装置の近くに存在することを利用して、運送者は運送器具の位置を容易に知ることができる。
【００３０】
更に、本発明によれば、運送器具に備わるデバイスのアクティブ機能を停止するので、当該デバイスの電源が無駄に浪費されることを防止することができる。
【００３１】
更に、本発明によれば、搬送器具管理データベースを参照すれば、各運送者に係る各運送器具が搬出されたのか否かを知ることができる。
【００３２】
更に、本発明によれば、物流センターが所有しているパレット等の運送器具の在庫、搬出入状況、物流センター内ロケーション等をリアルタイムに把握することが可能となることにある。
【００３３】
更に、本発明によれば、運送器具が滞留している運送先、運送先に運送を実施した運送者等を高い精度で特定可能とし、運送器具の確実な回収が可能となることにある。
【００３４】
更に、本発明によれば、運送者が携行するハンディ端末により間違いのない運送品の積込み、積み下ろしチェックの機能と運送における最適経路を探索可能な機能を提供することにより運送者による入出庫登録の徹底を図ることができる。
【発明を実施するための最良の形態】
【００３５】
以下、図面を参照して本発明を実施するための最良の形態について詳細に説明する。
【００３６】
図１を参照すると、本発明の形態は、固有の一意なＩＤを所有し、アクティブ型及びパッシブ型による通信機能を併せ持ち、かつパッシブ型アクセスにより内蔵のメモリにリードライト可能な機能を有するＲＦＩＤデバイスを装着した運送器具１０１、運送器具に装着されたＲＦＩＤへのリードライト機能、無線ＬＡＮによるネットワーク接続手段を有する第１種ハンディ端末１０２、物流センター構内の各所に設置されパレットのＲＦＩＤデバイスの発信する電波を受信するアクティブ型読取装置１０３、１０４、１０５、運送器具管理サーバ１０６、運送管理サーバ１０７、運送器具に装着されたＲＦＩＤへのリードライト機能、回線によるネットワーク接続機能、ＧＰＳによる位置取得手段を持つ第２種ハンディ端末１０８とから構成される。
【００３７】
運送器具１０１にはＲＦＩＤデバイスが装着されている。ＲＦＩＤデバイスは一般的にアンテナから発信された電波を受信し、ＲＦＩＤデバイスが装備されたアンテナで受けた電波を電力としてＲＦＩＤデバイスの内部のＩＣチップを動作させ、ＲＦＩＤデバイスが内部に電子的に保有する固有のＩＤを電波により返すパッシブ型と自身に内蔵された電池により、設定された一定間隔で電波を発信し、デバイスの持つ固有のＩＤ及びデバイス内のメモリに書き込まれた情報を返すアクティブ型がある。運送器具１０１に実装されたＲＦＩＤデバイスはアクティブ型、パッシブ型の双方の通信方式を実装したもので、パッシブ型でのアクセスにより、アクティブ型による電波の発信、停止制御が可能な機能を有し、アクティブ、パッシブ双方で固有のＩＤを共有しているものである。また、ＩＤを読み出すだけでなく内部に数ＫＢｉｔの書き換え可能なメモリを有しており、パッシブ型のリーダーライタを使って内部にデータを書き込む機能を有する。本システムでは物流センター内でアクティブ型で利用し、搬出後はパッシブ型を使用することを大きな特徴としている。
【００３８】
第１種ハンディ端末１０２はＰＤＡ等の携帯可能な情報処理装置である。第１種ハンディ端末１０２は運送器具１０１に実装されたＲＦＩＤデバイスをパッシブ型通信によりリードライトする機能、無線ＬＡＮによりネットワークに接続する機能、運送管理サーバより運送指示情報を検索、参照するアプリケーションを備えており、物流センター内のピッキング作業者が携帯する。
【００３９】
アクティブ型読取装置１０３、１０４、１０５は物流センター内の運送器具プールや運送品プール、搬出入ゲート等に設置され、運送器具１０１に装着されたＲＦＩＤデバイスがアクティブ機能により発信するＩＤやＲＦＩＤデバイスに書き込まれた情報を受信し、受信した情報と共に各々固有のアクティブ型読取装置の識別情報（ＩＤ）と合わせて常にネットワークを介して、運送器具管理サーバ１０６に通知する機能を有する。
【００４０】
運送器具管理サーバ１０６は運送器具管理データベースを備えており、アクティブ型読取装置１０３、１０４、１０５より発信された運送器具１０１に装着された各ＲＦＩＤデバイスに格納された固有の運送器具ＩＤやその他の情報をアクティブ型読取装置１０３、１０４、１０５の個別のアクティブ型読取装置を特定する一意なＩＤと共に紐付けデータベースに保持、管理する機能を有する。
【００４１】
運送管理サーバ１０７は運送管理データベースを備えておりピッキング作業者への運送指示情報検索機能、運送者が運送者を特定する一意な運送者ＩＤにより、運送対象とする運送情報の検索、第１種ハンディ端末１０２で運送先別の運送指示情報を検索可能とする機能を有する。
【００４２】
第２種ハンディ端末１０８はＰＤＡ等の情報処理装置である。第２種ハンディ端末１０８はパレットに実装されたＲＦＩＤをリードライトする機能、回線によりネットワークに接続する手段、ＧＰＳによる自己位置情報取得機能、運送管理サーバ１０７より運送対象となる運送器具ＩＤを読み出す機能を備えており、運送者が携帯している。
【００４３】
次に、本実施の形態の全体の動作について詳細に説明する。
【００４４】
まず、図２、３、４、５を参照して、本システムにおける運送器具搬出における流れを説明する。図２、３を参照すると、まず、ステップＧ１において、運送器具１０１は常に物流センター構内でアクティブ型機能により運送器具１０１に実装されたＲＦＩＤデバイスに書き込まれた情報（運送器具ＩＤ、運送指示情報を一意に特定するＩＤ、運送者を一意に特定するＩＤ、運送先位置情報（緯度及び経度により表される。）等）を運送器具置き場等に設置されたアクティブ型読取装置１０３、１０４又は１０５に対して常に発信している。運送器具ＩＤは運送器具１０１に装着されたＲＦＩＤデバイスに固有のＩＤで書き換えられることはない。運送指示ＩＤ、運送者ＩＤ、運送位置情報等はこの時点では０等の初期値でクリアされており無効な値が書き込まれている。ステップＧ２において、アクティブ型読取装置１０３、１０４又は１０５は運送器具１０１に装着されたＲＦＩＤデバイスより受けた情報と自身のアクティブ型読取装置１０３、１０４又は１０５を一意に特定可能なＩＤを運送器具管理サーバ１０６に転送し、ステップＧ３において、運送器具管理サーバ１０６はアクティブ型読取装置１０３、１０４又は１０５より転送された運送器具ＩＤを基に、運送器具管理データベースの検索を実行し、運送器具ＩＤに紐付けされたアクティブ型読取装置ＩＤが変更されていたり、運送器具管理データベース上に未登録の運送器具ＩＤの場合にはアクティブ型読取装置ＩＤ、運送器具ＩＤを紐付けし運送器具管理データベースへの登録、更新を実行する。このことにより、運送器具管理サーバ１０６は、物流センター内における運送器具１０１の位置をアンテナからの通知を常に監視、登録することで把握することが可能となる。
【００４５】
続いて、ピッキング作業者Ａは、ステップＧ４にて、ピッキング作業者Ａの携行する第１種ハンディ端末１０２で運送管理サーバ１０７に運送指示情報の問い合わせを実行する。この問合せには、ピッキング作業者を一意に特定するＩＤを付記する。ステップＧ５において、第１種ハンディ端末１０２より問合せを受けた運送管理サーバ１０７は、第１種ハンディ端末１０２に登録されたピッキング作業者を一意に特定するＩＤを基に自身に備えた運送管理データベースを検索し、第１種ハンディ端末１０２に運送指示情報（運送指示ＩＤ、運送者ＩＤ、運送先位置情報、被運送物ＩＤを含む。）を送信する。続いてステップＧ６において、ピッキング作業者Ａは第１種ハンディ端末１０２の画面に従いピッキング作業を実施し、ピッキング作業終了と共に第１種ハンディ端末１０２で運送指示情報に従いピッキングした被運送物を混載した運送器具１０１に装着されたＲＦＩＤデバイスにパッシブ型の通信により運送指示情報に含まれる運送指示ＩＤ、運送者ＩＤ、運送先位置情報を追記する。情報を書き込まれた運送器具１０１は、ステップＧ７にて、ＲＦＩＤデバイスのアクティブ型機能により、書き込まれた情報を電波で発信し、ステップＧ８において、その情報を受けたアクティブ型読取装置１０３、１０４又は１０５は運送器具管理サーバ１０６に運送器具１０１より受けた運送器具ＩＤ、運送指示ＩＤ、運送者ＩＤ、運送位置情報及びアクティブ型読取装置ＩＤを送信する。
【００４６】
次にステップＧ９において、アクティブ型読取装置１０３、１０４又は１０５より情報を受信した運送器具管理サーバ１０６は受信した運送器具ＩＤを基に運送器具ＩＤとアクティブ型読取装置１０３、１０４又は１０５を一意に特定可能なＩＤを紐付け、運送器具管理データベースに登録し、ステップＧ１０において、ステップＧ８において受信した情報を運送管理サーバ１０７に送信する。ステップＧ１１において、運送管理サーバ１０７は受信した運送指示ＩＤと運送器具ＩＤを紐付け、運送管理データベースに登録する。Ｇ４からＧ１１までのステップは、運送指示情報がなくなるまで繰り返される。
【００４７】
図４、５を参照すると、次にステップＧ１２において、物流センターに到着した運送者Ｄは、自身の携行する第２種ハンディ端末１０８により、運送管理サーバ１０７に問合せを実行する。この問合せには、運送者ＩＤを付記する。ステップＧ１３において、運送管理サーバ１０７は、送信されてきた運送者ＩＤを基に運送管理データベースを検索し、運送指示情報（運送器具ＩＤを含む。）を返す。ステップＧ１５において、運送者Ｄは運送指示情報に含まれる運送器具ＩＤを基に運送器具１０１を特定し、ステップＧ１４において、トラック等への運送積み込みの際に運送者Ｄは第２種ハンディ端末１０８にて運送器具１０１に装着されたＲＦＩＤデバイスより運送器具ＩＤ、運送者ＩＤ、運送先位置情報を読み出し、ステップＧ１５において、運送指示情報に含まれる運送器具ＩＤ、運送者ＩＤとＲＦＩＤデバイスより読み出した運送器具ＩＤ、運送者ＩＤを比較し、運送者が運送する荷物として正しいことを判定し、第２種ハンディ端末１０８の画面にて表示する。比較結果が正しい場合には、第２種ハンディ端末１０８は、その旨を運送器具１０１及び運送器具管理サーバ１０６に通知する。運送器具１０１への通知の際には、運送器具ＩＤにより通知先を特定する。運送器具管理サーバ１０６への通知の際には、運送器具、運輸業者ＩＤを付記する。ステップＧ１６において、運送器具管理サーバ１０６は、第２種ハンディ端末１０８が読み出した運送器具ＩＤの運送器具が、第２種ハンディ端末１０８が読み出した運送者ＩＤにより特定される運送者Ｄにより搬出されることを運送器具管理データベースに登録し（これは、運送器具管理データベースの運送者ＩＤ及び運送器具ＩＤにより特定されるレコードの搬出される旨を書き込むためのフィールドに所定値を書き込むことにより実現される。）、ステップＧ１７において、第２種ハンディ端末１０８からの比較結果が正しい旨の通知により、運送器具１０１は、これに装着されたＲＦＩＤデバイスのアクティブ型機能を停止する。また、ステップＧ１８において、運送者は運送器具１０１と共に被運送物を運送トラックに積み込む。そして、ステップＧ１９において第２種ハンディ端末１０８は、各運送器具１０１に装着されたＲＦＩＤデバイスより読み出した運送先位置情報を基に運送者の最適運送ルートを算出し、運送者は第２種ハンディ端末１０８が算出した最適運送ルートに従い運送を実施する。
【００４８】
次に、図６、７を参照して、本システムにおける運送器具の運送先での搬入における流れを説明する。
【００４９】
ステップＨ１において運送者Ｄは、運送器具１０１を運送した運送先において運送器具１０１の積み下ろしをする際に、運送器具１０１に装着されたＲＦＩＤデバイスの情報（運送器具ＩＤ、運送先位置情報）を第２種ハンディ端末１０８によって読み出し、第２種ハンディ端末１０８のＧＰＳ機能により取得した自己位置情報（緯度及び経度により表される。）と運送器具１０１に装着されたＲＦＩＤデバイスから読み出した運送先位置情報を比較することにより、運送器具１０１が正しい運送先に到着しているかの判定を実施し、その結果を第２種ハンディ端末１０８の画面にて表示する。運送者Ｄは、第２種ハンディ端末１０８の画面で正しいことを確認すると共に、ステップＨ２において、運送者Ｄの操作により、第２種ハンディ端末１０８は、運送完了処理の実行を運送器具１０１、運送器具管理サーバ１０６及び運送管理サーバ１０７に指示する。運送器具１０１に対する指示においては、運送完了時刻の通知も行う。運送器具管理サーバ１０６に対する指示においては、ステップＨ１で読み出した運送器具ＩＤ、ＧＰＳ機能により取得した自己位置情報、運送完了時刻の通知も行う。運送管理サーバ１０７に対する指示においては、ステップＨ１で読み出した運送器具ＩＤの通知も行う。
【００５０】
ステップＨ３において、運送器具１０１は、これ装着されたＲＦＩＤデバイスに運送完了時刻を書き込む。ステップＨ４において、運送器具管理サーバ１０６は、送信されてきた運送器具ＩＤを基に、送信されてきた運送先位置情報、運送完了時刻を運送器具管理データベースの運送先ＩＤにより特定されるレコードに登録する。ステップＨ５において、運送管理サーバ１０７は、運送器具１０１が運送を完了したことを自身が備える運送管理データベースの運送器具ＩＤにより特定されるレコードに更新する。なお、運送器具ＩＤと運送指示ＩＤとは既に関連付けられているため、このレコードは運送指示ＩＤについてもユニークである。
【００５１】
続いて、ステップＨ６において、第２種ハンディ端末１０８は、ステップＨ１で読み出した運送器具ＩＤを運送器具管理サーバ１０６に送信し、本運送器具が今回、即日回収すべきであるか否かを問合せる。ステップＨ７において、運送器具管理サーバ１０６は、送信されてきた運送器具ＩＤを基に運送器具の回収期限を検索し、即日回収するべきであるか否かの回答を第２種ハンディ端末１０８に送信する。運送者Ｄは第２種ハンディ端末１０８の画面に運送器具１０１が回収対象であることが表示されているならば、ステップＨ８において運送器具を回収する。運送者Ｄは運送対象の運送器具１０１の数だけ、ステップＨ１〜Ｈ８を繰り返す。
【００５２】
これにより、間違いのない運送先に積荷を届け、運送器具１０１の位置情報を運送器具管理サーバ１０６に記録すると共に、運送器具の速やかな回収が可能になる。最後に運送者Ｄは、ステップＨ９において、第２種ハンディ端末１０８により次の運送先を検索し、運送を続けることとなる。
【００５３】
最後に、図８、９を参照して、本システムにおける運送器具の回収の流れを説明する。運送先における搬入作業の流れの中で、即日回収の対象でない運送器具を後日に回収するために、ステップＪ１において、運送者Ｄは、自身の携帯している第２種ハンディ端末１０８のネットワーク機能を使用して運送器具管理サーバ１０６に接続し、回収対象となる運送器具１０１のＩＤを第２種ハンディ端末１０８で取得した運送者Ｄの現在位置情報、運送者を一意に特定するＩＤキーとして問合せる。ステップＪ２において運送器具管理サーバ１０６は、運送者Ｄの位置情報、運送者ＩＤを基に回収対象の運送器具ＩＤのリストを作成し、第２種ハンディ端末１０８に戻す。続いてステップＪ３において、運送者Ｄは第２種ハンディ端末１０８により回収対象の運送器具に装着されたＲＦＩＤデバイスから運送器具ＩＤを読出し、運送器具ＩＤ一覧に含まれることを確認し、運送器具が回収対象の運送器具であることを確認した上でトラックに積み込む。ステップＪ４において、全ての運送器具１０１を回収し終えた運送者Ｄはこれらを物流センターに運送する。
【００５４】
物流センターに到着した運送者Ｄは、ステップＪ５において、回収した運送器具をトラック等の運送手段から下ろし、ステップＪ６において、第２種ハンディ端末１０８にて運送器具１０１に装着されたＲＦＩＤデバイスに格納された運送器具ＩＤ以外の情報（運送指示ＩＤ、運送者ＩＤ、運送先位置情報）をクリアすると共に、ステップＪ７において運送器具１０１に装着されたＲＦＩＤデバイスのアクティブ機能を復帰させ運送器具プールに運送器具１０１を戻す。この様に搬出時に停止されていたアクティブ機能を物流センターに回収した時点で復帰させることで必要のない場所でのアクティブ型の電波発信機能を停止し、ＲＦＩＤデバイスに内蔵された電池を無駄に使用することなく、電池交換のサイクルを伸ばすことができる。また、運送先の無線機器等に悪影響等をきたす心配がなくなる。
【００５５】
アクティブ方式の通信を復帰した運送器具１０１に装着されたＲＦＩＤデバイスは、ステップＪ８において、運送器具ＩＤのアクティブ方式の通信により発信を開始する。ステップＪ９において、この電波を受信したアクティブ型読取装置１０３、１０４又は１０５は受信した情報を運送器具管理サーバ１０６に送信する。ステップＪ１０において運送器具のＩＤ、アクティブ型読取装置のＩＤ及びクリアされた情報等をアクティブ型読取装置Ｂより受信した運送器具管理サーバ１０６は運送器具が物流センター内に回収されたことを運送器具管理データベースに登録する。このことにより、運送器具が物流センター内に回収されたこととなる。
【産業上の利用可能性】
【００５６】
本発明によれば、物流における運送器具管理といった用途に適用できる。また、物流器具に限らずレンタル業者の管理といった用途にも適用可能である。
【図面の簡単な説明】
【００５７】
【図１】本発明の実施形態による運送器具管理システムの構成を示すブロック図である。
【図２】本発明の実施形態による運送器具管理方法の被運送物搬出時の工程を示す第１のフローチャートである。
【図３】本発明の実施形態による運送器具管理方法の被運送物搬出時の工程を示す第２のフローチャートである。
【図４】本発明の実施形態による運送器具管理方法の被運送物搬出時の工程を示す第３のフローチャートである。
【図５】本発明の実施形態による運送器具管理方法の被運送物搬出時の工程を示す第４のフローチャートである。
【図６】本発明の実施形態による運送器具管理方法の被運送物搬入時の工程を示す第１のフローチャートである。
【図７】本発明の実施形態による運送器具管理方法の被運送物搬入時の工程を示す第２のフローチャートである。
【図８】本発明の実施形態による運送器具管理方法の運送器具回収時の工程を示す第１のフローチャートである。
【図９】本発明の実施形態による運送器具管理方法の運送器具回収時の工程を示す第１のフローチャートである。
【符号の説明】
【００５８】
１０１  運送器具
１０２  第１種ハンディ端末
１０３  アクティブ型読取装置
１０４  アクティブ型読取装置
１０５  アクティブ型読取装置
１０６  ハンディ端末
１０７  運送器具管理サーバ
１０８  第２種運送管理サーバ
【図１】
2005187094.tif 000003
【図２】
2005187094.tif 000004
【図３】
2005187094.tif 000005
【図４】
2005187094.tif 000006
【図５】
2005187094.tif 000007
【図６】
2005187094.tif 000008
【図７】
2005187094.tif 000009
【図８】
2005187094.tif 000010
【図９】
2005187094.tif 000011